(57)【要約】      （修正有）【課題】犬等のペット用の衣服として、着衣・脱衣が容易なペット服を提供する。【解決手段】ペットの胴部に展開状態で巻かれる巻き布部２と、ペット胴部の腹側において該巻き布部に形成された２箇所の前足挿通部３と、その巻き布部においてペット胴部を巻いた状態での互いに対応する両端縁をペット胴部の上側である背側を通るように着脱可能に接合するスライドファスナー４とを備える。スライドファスナーは巻き布部の前端縁においてペットの首部から尻部の中央を通る背中心線から外れた位置の第１領域にファスナー前端６を有し、そのファスナー前端から前記背中心線に接近するようにペットの尻部側である後方へ延び、その背中心線に達した後はその背中心線と交差して反対側の第２領域に進入して更に後方へ延び、該巻き布部の後端縁に位置するファスナー後端８へ達する。そのスライドファスナーを閉じ又は開けることにより巻き布部をペットの背側で接合し又は切り離す。【選択図】図１
0003167338.tif 000002
【実用新案登録請求の範囲】
【請求項１】
前足と後ろ足を有する四足の愛玩動物であるペットに着せるペット服であって、
少なくともペット胴部に展開状態で巻かれる巻き布部と、ペット胴部の腹側において該巻き布部に形成された２箇所の前足挿通部と、その巻き布部においてペット胴部を巻いた状態での互いに対応する両端縁をペット胴部の上側である背側を通るように着脱可能に接合するスライドファスナーとを備え、
スライドファスナーは、巻き布部の前端縁においてペットの首部から尻部の中央を通る背中心線から外れた位置の第１領域にファスナー前端を有し、そのファスナー前端から前記背中心線に接近するようにペットの尻部側である後方へ延び、その背中心線に達した後はその背中心線と交差して反対側の第２領域に進入して、若しくはその背中心線に沿って、又はその背中心線から第１領域に戻るようにして後方へ延び、該巻き布部の後端縁に位置するファスナー後端へ達し、そのスライドファスナーを閉じ又は開けることにより巻き布部をペットの背側で接合し又は切り離すことを特徴とするペット服。
【請求項２】
前記巻き布部をペットの背側で接合し又は切り離す前記スライドファスナーは、その巻き布部の前端縁における前記背中心線から外れた第１領域に位置するファスナー前端から、その背中心線に接近するように後方へ延び、その背中心線に達した後はその背中心線と交差して反対側の第２領域に進入して更に後方に延び、その巻き布部の第２領域の後端縁に位置するファスナー後端へ達している請求項１に記載のペット服。
【請求項３】
前記スライドファスナーは、前記ファスナー前端からファスナー後端に向って前記背中心線と円弧状に交差する曲線に沿って形成される請求項２に記載のペット服。
【請求項４】
前記スライドファスナーは、前記ファスナー前端からファスナー後端に向って前記背中心線と円弧状に交差し、かつそのファスナー前端が位置する前記第１領域側に凸となる曲線に沿って形成される請求項３に記載のペット服。
【請求項５】
前記巻き布部は、ペットの胴部に巻かれる巻き布部本体と、その巻き布部本体の前端側に連続して設けられ、ペットの首部に巻かれるネック部とを備え、前記スライドファスナーは、そのネック部における前記第１領域の前端縁に位置するファスナー前端からそのネック部を通り、前記巻き布部の後端縁に位置するファスナー後端まで延びる請求項１ないし４のいずれか１項に記載のペット服。
【請求項６】
前記ネック部の領域において前記スライドファスナーを開き、そのネック部を前記巻き布部本体側へ折り返すことにより、その折り返し部分が襟になる請求項５に記載のペット服。
【請求項７】
前記スライドファスナーは、前記ファスナー前端から後方へ向けて移動させる第１スライダーと、前記ファスナー後端から前方へ向けて移動させる第２スライダーとを備えたダブルスライダー方式のものである請求項１ないし６のいずれか１項に記載のペット服。
【考案の詳細な説明】
【技術分野】
【０００１】
この考案は、ペット、例えば犬に好適なペット服に関する。
【背景技術】
【０００２】
ペットとして愛玩する犬に衣服を着せ、室内で遊ばせたり散歩させたりすることがよくある。その衣服（ペット服）として、特許文献１が知られている。
【先行技術文献】
【特許文献】
【０００３】
【特許文献１】ＷＯ２００６／０９０８６１再公表特許公報
【０００４】
特許文献１の愛玩動物用衣服（ペット服）は、同公報の００２３〜００２９段落、及び図１〜図３に示されるように、犬の胴部を上から巻くように被う筒状部４（非伸縮性布材７と伸縮性布材８）を備え、この筒状部４の下側面に前足を通す２個の挿通穴６があり、２個の挿通穴６を分断するように着脱連結部１３としてスライドファスナー（スライダー１４）が前後に延びる。犬の胴部が筒状部４の布材で被われ、頭部と尻部は後ろ足を含めて露出する。
【０００５】
この衣服を犬に着せるには、展開状態の筒状部４を犬の胴部に上から被せるように巻き付け、前足２本をそれぞれの挿通穴６に通してから、胴部の下側で２本の前足の間に手を入れ、展開状態の布端同士を引き寄せ、スライドファスナー（１３）の前端を結合し、スライダー１４を前端から後端まで引き動かして着衣が完了する。あるいは、犬を仰向けにして上記の手順で着衣する。
【０００６】
しかしながら、展開状態における筒状部４の各挿通穴６は、スライドファスナー（１３）を閉じる前であるから位置が定まらず、犬の２本の前足を通すのが容易でない。また前足を通した後、人がかがみ込んで２本の前足の間に手を入れ、スライドファスナー（１３）のスライダー１４を腹部下面に沿って、前から後ろまで引いていくのもそう簡単ではない。また犬を仰向けにして着衣すれば、スライドファスナー（１３）の端部合わせや接合動作が上からできるが、仰向けにすると犬が嫌がって動いたりするから、着衣が余計に大変になる。スライドファスナー（１３）を設けない最初から一体の筒状部４とすれば、犬の頭部から被せ、前足を折曲げて後ろへたぐりつつ挿通穴に前足を入れることになるが、犬に無理な姿勢や動きを強制するから、着せるのも大変で犬も嫌がる。
【考案の概要】
【考案が解決しようとする課題】
【０００７】
この考案は、犬等のペット用の衣服として、着衣・脱衣の際にペットにも飼い主にも負担が少ないペット服を提供することを課題とする。
【課題を解決するための手段及び考案の効果】
【０００８】
この考案は、前足と後ろ足を有する四足の愛玩動物であるペットに着せるペット服であって、
少なくともペット胴部に展開状態で巻かれる巻き布部と、ペット胴部の腹側において該巻き布部に形成された２箇所の前足挿通部と、その巻き布部においてペット胴部を巻いた状態での互いに対応する両端縁をペット胴部の上側である背側を通るように着脱可能に接合するスライドファスナーとを備え、
スライドファスナーは、巻き布部の前端縁においてペットの首部から尻部の中央を通る背中心線から外れた位置の第１領域にファスナー前端を有し、そのファスナー前端から前記背中心線に接近するようにペットの尻部側である後方へ延び、その背中心線に達した後はその背中心線と交差して反対側の第２領域に進入して、若しくはその背中心線に沿って、又はその背中心線から第１領域に戻るようにして後方へ延び、該巻き布部の後端縁に位置するファスナー後端へ達し、そのスライドファスナーを閉じ又は開けることにより前記巻き布部をペットの背側で接合し又は切り離すことを特徴とする。
【０００９】
これにより、スライドファスナー部を開いた展開状態の巻き布部をペットの胴部に巻き付ける際に、ペットの腹側に位置する２箇所の前足挿通部は、巻き布部の展開状態においてもスライドファスナーで分断されているわけではなく、一体の布部に形成されて両者の位置関係も固定的であるから、例えば展開状態の巻き布部を床面に載置し、その状態でペットの前足２本を前足挿通部に通し、その後、巻き布部の両側縁を上側へ持ち上げ、ペットの背側でスライドファスナーを閉じることにより、人がかがみ込んでペットの前足の間を通すようにスライドファスナーを閉じたり、ペットを仰向けにし又は抱かかえたりすることなく、この衣服をペットに簡単に着せること（着衣）ができる。またその衣服を脱がすときも、ペットの背側でスライドファスナーを開き、分断した巻き布部の両側縁を下に移動させれば、ペットの前足を容易に前足挿通部から抜くことができ、脱衣も簡単に行える。
【００１０】
しかも、スライドファスナーの前端はペットの首の直後ではなく、首の真後ろ（背中心線）から左右にずらした位置をファスナー前端とし、後方へ向けてその背中心線に接近するように延びるから、スライドファスナーのスライダーを把持する際にペットの首の真後ろと干渉することがなく、容易にスライドファスナーを開閉することができ、ペットの立場からも首の真後ろ（上面）に人の手が押し付けられたりする負担が少ない。
【００１１】
また本考案において、前記巻き布部をペットの背側で接合し又は切り離す前記スライドファスナーは、その巻き布部の前端縁における前記背中心線から外れた第１領域に位置するファスナー前端から、その背中心線に接近するように後方へ延び、その背中心線に達した後はその背中心線と交差して反対側の第２領域に進入して更に後方に延び、その巻き布部の第２領域の後端縁に位置するファスナー後端へ達する。
【００１２】
これにより、スライドファスナーを開閉する動作が背中心線と交差する斜めの軌跡に沿うこととなり、それに伴いスライドファスナーの長さもその分長くなるから、巻き布部を閉じていく際に巻付け又は締付けが徐々に進行し、スライドファスナーの閉じ操作がよりスムーズに行われ、ペットへの負担もより小さくなる。
【００１３】
また本考案において、前記スライドファスナーは、前記ファスナー前端からファスナー後端に向って前記背中心線と円弧状に交差する曲線に沿って形成される。
【００１４】
これにより、スライドファスナーをその円弧状の曲線に沿って開閉操作することになり、ペットの背側で直線動作より人の自然な動作に近い円弧状の移動により巻き布部を接合・分断することができる。
【００１５】
また本考案において、前記スライドファスナーは、前記ファスナー前端からファスナー後端に向って前記背中心線と円弧状に交差し、かつそのファスナー前端が位置する前記第１領域側に凸となる曲線に沿って形成される。
【００１６】
これにより、人がペットの側方に位置してスライドファスナーを開閉する場合が多いところ、人の肩又は肘を中心とする円運動に近い自然な動作により、スムーズにスライドファスナーを開閉することができる。
【００１７】
また本考案において、前記巻き布部は、ペットの胴部に巻かれる巻き布部本体と、その巻き布部本体の前端側に連続して設けられ、ペットの首部に巻かれるネック部とを備え、前記スライドファスナーは、そのネック部における前記第１領域の前端縁に位置するファスナー前端からそのネック部を通り、前記巻き布部の後端縁に位置するファスナー後端まで延びる。
【００１８】
これにより、ネック部がペットの首部を取り巻き、巻き布部本体がペットの胴部に巻き付けられて、ペットの身体をより安定に包み込むことができ、しかもスライドファスナーの前端はネック部を通っており、ペットの背側においてネック部を含めてスライドファスナーを開閉操作することにより、ネック部がありながらペットに対し簡単に着衣・脱衣をすることができる。
【００１９】
また本考案では、前記ネック部の領域において前記スライドファスナーを開き、そのネック部を前記巻き布部本体側へ折り返すことにより、その折り返し部分が襟になる。
【００２０】
これにより簡単に襟を形成することができ、またスライドファスナーをネック部の先端まで閉じれば、ネック部が立ったハイネックの状態となってペットの首部を取り巻くこととなり、２タイプのネック部の形態を一つの衣服で実現できる。
【００２１】
また本考案において、前記スライドファスナーは、前記ファスナー前端から後方へ向けて移動させる第１スライダーと、前記ファスナー後端から前方へ向けて移動させる第２スライダーとを備えたダブルスライダー方式のものである。
【００２２】
これにより、巻き布部をスライドファスナーで接合したり分断したりする際に、スライドファスナーのファスナー前端及び後端のいずれからでもスライダーを把持して開閉動作が可能であるから、ペットに対する着衣や脱衣をいっそう容易に行い得る。
【図面の簡単な説明】
【００２３】
【図１】本考案の実施例１のペット服を犬に着せた形態の前方斜視図。
【図２】その後方斜視図。
【図３】その正面図。
【図４】その右側面図。
【図５】その左側面図。
【図６】その平面図。
【図７】図１〜図６に示すペット服の展開図。
【図８】実施例２のペット服の平面図。
【図９】その底面図。
【図１０】図８〜図９のペット服で襟を生じさせた部分正面図。
【図１１】図１０に示す一部を拡大して示す部分正面図。
【図１２】図８〜図９に示すペット服を犬に着せた状態でダブルファスナー方式を説明する説明図。
【図１３】実施例３のペット服の装着状態（ただし犬は省略）の平面図。
【図１４】その右側面図。
【図１５】その左側面図。
【図１６】実施例４のペット服の平面図（以下図２０まで、いずれも装着状態で犬は省略）。
【図１７】実施例５のペット服の平面図。
【図１８】実施例６のペット服の平面図。
【図１９】実施例７のペット服の平面図。
【図２０】実施例８のペット服の平面図。
【図２１】実施例９のペット服の装着状態の右側面図。
【図２２】その左側面図。
【図２３】その平面図。
【図２４】実施例１０のペット服の正面図。
【図２５】実施例１１のペット服の正面図。
【図２６】実施例１２のペット服の右側面図。
【考案を実施するための形態】
【００２４】
以下、この考案を実施するための形態を説明する。
図１〜図６に示す実施例１のペット服は、前足と後ろ足を有する四足の愛玩動物、主に犬Ｄ（通常は比較的小さい犬）に着せるペット服１である。このペット服１は、少なくともペット胴部に展開状態で巻かれる巻き布部２と、ペット胴部の腹側において巻き布部２に形成された２箇所の前足挿通部３と、その巻き布部２においてペット胴部を巻いた状態での互いに対応する両端縁をペット胴部の上側である背側を通るように着脱可能に接合するスライドファスナー４とを備える。
【００２５】
スライドファスナー４は、巻き布部２の前端縁においてペットの首部から尻部の中央を通る背中心線Ｏ（図６）から外れた位置の第１領域５にファスナー前端６（図１、図３、図４）を有し、そのファスナー前端６から背中心線Ｏ（図６）に接近するようにペットの尻部側である後方へ延び、その背中心線Ｏに達した後はその背中心線と交差して反対側の第２領域７に進入して後方へ延び、巻き布部２の後端縁に位置するファスナー後端８へ達している。そのスライドファスナー４を閉じ又は開けることにより、巻き布部２をペットの背側で接合し又は切り離す。
【００２６】
この例でスライドファスナー４は、ファスナー前端６からファスナー後端８に向って背中心線Ｏと円弧状に交差する曲線に沿って形成され、特にファスナー前端６からファスナー後端に向って背中心線Ｏと円弧状に交差し、かつそのファスナー前端６が位置する第１領域５側に凸となる曲線に沿って形成されている。
【００２７】
さらに巻き布部２は、ペットの胴部に巻かれる巻き布部本体２ａと、その巻き布部本体２ａの前端側に連続して設けられ、ペットの首部に巻かれるネック部２ｂとを備え、上述のスライドファスナー４は、そのネック部２ｂにおける第１領域５の前端縁に位置するファスナー前端６（図１、図４）からそのネック部２ｂを通り、巻き布部２の後端縁に位置するファスナー後端８まで延びている。
【００２８】
さらに具体的に各図を参照しながら説明する。スライドファスナー４は、図１、図２、図５に示すように、このペット服１を子犬Ｄに着せて開放状態から閉じるための始点結合部９と、その始点を結合した状態でネック部２ｂ側へスライド操作されるスライダー１０と、周知のものであるため詳しい図示はしないが、スライダー１０の移動に従い交互に噛み合う一対のファスナー歯部１１とを備える。図７はこのペット服１を展開した状態であり（この図は、実際のペット服１を広げた写真から描写しているため、両側縁のファスナー歯部１１は幾何学的な円弧状にはなっていない）、始点結合部９，９が結合された後、スライダー１０が円弧状の曲線に沿ってネック部２ｂの先端まで移動する。一方のファスナー歯部１１の内側に沿って帯布部１２が設けられ、犬の毛をファスナー歯部１１にかみ込まないようにしている。
【００２９】
図８〜図１１に示す実施例２のペット服２０は、実施例１のペット服１と同様に、巻き布部２、その本体２ａ、ネック部２ｂ、前足挿通部３、スライドファスナー４を備え、かつスライドファスナー４は、ファスナー前端６から後方へ向けて移動させる第１スライダー１３と、ファスナー後端８から前方へ向けて移動させる第２スライダー１４とを備えたダブルスライダー方式のものである。スライドファスナー４はネック部２ｂの先端から巻き布本体２ａの後端まで、背中心線Ｏを横切る円弧状の曲線に沿って形成され、図１０に示すように、ネック部２ｂの領域においてスライドファスナー４を開き、そのネック部２ｂを巻き布部本体２ａ側へ折り返すことにより、その折り返し部分を襟にすることができる。また、図１１に分解して示すように、犬の毛の噛み込みを防ぐ帯布部１２が一方のファスナー歯部１１の内側に沿って縫い付けられている。そして、図１２に示すように、第１スライダー１３が位置する前端からでも、第２スライダー１４が位置する後端からでも、双方向から自在にスライドファスナー４を開放することができる。
【００３０】
図１３〜図１５は、実施例３のペット服３０を犬に着せた状態を示している（犬は省略）。図１３の平面図に示すように、巻き布部２は、巻き布部本体２ａとネック部２ｂと前足挿通部３を備える。スライドファスナー４の前端６と後端８は、巻き布部本体２ａの前端と後端に位置する。スライドファスナー４はネック部２ｂを除いて、巻き布部本体２ａの前端から後端まで、背中心線Ｏを横切る円弧状の曲線に沿って延びる。ネック部２ｂにはスライドファスナー４の前端６の延長線上に切れ目１６が形成されている。切れ目１６にはファスナー歯部１１が存在しない。よって、スライドファスナー４のスライダー１０をいっぱいまで引いた状態とすれば、切れ目１６の隙間が接近して、犬の首部を取り囲む状態となる。なお、このネック部２ｂの中間にスライドファスナー４の前端６をもってきてもよい。ネック部２ｂの開口周縁には飾り用のフリル部２ｃがある。
【００３１】
図１６に示す実施例４のペット服４０において、スライドファスナー４１は、巻き布部の２の前端縁において、背中心線Ｏから外れた位置の第１領域５にファスナー前端６を有し、そのファスナー前端６から背中心線Ｏに接近するように後方へ延び、その背中心線Ｏに達した後は背中心線Ｏと交差して反対側の第２領域７に進入して、巻き布部２の後端縁に位置するファスナー後端８へ達し、かつ全体として緩やかなＳ字状の曲線に沿って形成されている。
【００３２】
図１７に示す実施例５のペット服５０では、スライドファスナー４２が背側中心線Ｏと交差する直線状に形成されている。図１８に示す実施例６におけるペット服６０のスライドファスナー４３は、巻き布部２の前端縁において背中心線Ｏから外れた位置の第１領域５にファスナー前端６を有し、そのファスナー前端６から背中心線Ｏに接近するように後方へ延び、その背中心線Ｏに達した後は背中心線Ｏと交差して反対側の第２領域７に進入して、巻き布部２の後端縁に位置するファスナー後端８へ達し、全体として第１領域５側に凸ではなく、第２領域７側に凸となる円弧状の曲線に沿って形成される。つまり、円弧状に膨出する向きが、図６等のペット服１とは反対である。
【００３３】
図１９に示す実施例７のペット服７０のスライドファスナー４４は、巻き布部２の前端縁において背中心線Ｏから外れた位置の第１領域５にファスナー前端６を有し、そのファスナー前端６から背中心線Ｏに接近するように後方へ延び、その背中心線Ｏに達した後は背中心線Ｏと交差することなく、背中心線Ｏに沿って巻き布部２の後端縁に位置するファスナー後端８へ達している。
【００３４】
図２０に示す実施例８のペット服８０では、スライドファスナー４５が巻き布部２の前端縁において背中心線Ｏから外れた位置の第１領域５にファスナー前端６を有し、そのファスナー前端６から背中心線Ｏに接近するように後方へ延び、その背中心線Ｏに達した後は背中心線Ｏと交差して反対側の第２領域７へ進入し、その後再び背中心線Ｏと交差して第１領域５に戻り、最終的に第１領域５のファスナー後端８へ達している。この例では、スライドファスナー４５が背中心線Ｏと２度交差することにより、ファスナー前端６と後端８がいずれも第１領域５側にあり、しかも第２領域７側に凸となる円弧状の曲線に沿って延びている。
【００３５】
図２１〜図２３に示す実施例９のペット服９０は、ネック部２ｂを有さず、巻き布部２が犬の首部の手前までを被うものである。スライドファスナー４は巻き布部２の前端から後端まで形成されている。あとは図１〜図７に示した実施例１のペット服１と同様である。なお、図１６〜図２１等において、スライドファスナーのスライダー１０は省略した。
【００３６】
図２４に示す実施例１０のペット服１００は、前足挿通部１５が比較的短い袖状（筒状）の形態をなしており、その中に犬の前足がそれぞれ通される。いわば袖付（この例では半袖状）のものである。図２５に示す実施例１１のペット服１１０は、図２４のものより長い袖状（筒状）の前足挿通部１７を備え、ここに犬の前足がそれぞれ通される。これはいわば長袖に相当する。その他の部分は図１〜図６と同じである。
【００３７】
図２６に示す実施例１２のペット服１２０は、犬の後ろ足を通す２個の後ろ足挿通部１８が、前足挿通部１７（若しくは３又は１５）に加えて設けられる。後ろ足挿通部１８は筒状に形成された、いわばズボン、タイツないしパンツに相当する部分であり、それぞれ後ろ足が通される。長い後ろ足挿通部１８以外に、２鎖線で示すように短い後ろ足挿通部１９でもよい。通常は、長い後ろ足挿通部１８に対応するように長い前足挿通部１７が形成され、短い後ろ足挿通部１９に対応して短い前足挿通部１５が配置される。
【００３８】
以上の説明において、既に説明した内容と同じ符号の部分は重複的な説明は省略した。また図８、図１２等に示したダブルファスナー方式は、ネック部２ｂを有する有しないに関わりなく採用できる。さらに、図１６〜図２０に示したスライドファスナーの種々の形成形態も、ネック部２ｂの有無に関係なく採用できる。また逐一図示はしないが、以上説明した実施例１〜実施例１２のペット服の各形態ないし各部位を組み合わせて更に変形した別のペット服を得ることもできる。
【００３９】
なお、これまで主に犬用のペット服（犬服）を例示したが、必ずしも犬用のペット服に限るものではなく、例えばネコ、サル、ウサギ等、その他の四足の愛玩動物のペット服にこの考案の考え方を適用することができる。
【符号の説明】
【００４０】
１、２０、３０、４０，５０、６０、７０、８０、９０、１００、１１０、１２０  ペット衣服
２  巻き布部
２ａ  巻き布部本体
２ｂ  ネック部
３、１５、１７  前足挿通部
４、４１、４２、４３、４４、４５  スライドファスナー
５  第１領域
６  ファスナー前端
７  第２領域
８  ファスナー後端
９  始点結合部
１０  スライダー
１１  ファスナー歯部
１２  帯布部
１３  第１スライダー
１４  第２スライダー
１６  切れ目
１８、１９  後ろ足挿通部
Ｏ  背中心線
Ｄ  犬（ペット）
【図１】
0003167338.tif 000003
【図２】
0003167338.tif 000004
【図３】
0003167338.tif 000005
【図４】
0003167338.tif 000006
【図５】
0003167338.tif 000007
【図６】
0003167338.tif 000008
【図７】
0003167338.tif 000009
【図８】
0003167338.tif 000010
【図９】
0003167338.tif 000011
【図１０】
0003167338.tif 000012
【図１１】
0003167338.tif 000013
【図１２】
0003167338.tif 000014
【図１３】
0003167338.tif 000015
【図１４】
0003167338.tif 000016
【図１５】
0003167338.tif 000017
【図１６】
0003167338.tif 000018
【図１７】
0003167338.tif 000019
【図１８】
0003167338.tif 000020
【図１９】
0003167338.tif 000021
【図２０】
0003167338.tif 000022
【図２１】
0003167338.tif 000023
【図２２】
0003167338.tif 000024
【図２３】
0003167338.tif 000025
【図２４】
0003167338.tif 000026
【図２５】
0003167338.tif 000027
【図２６】
0003167338.tif 000028